(57)【要約】      （修正有）【課題】全体が薄板状のもので容易に携行・使用し得るようになっているとともに、不特定な尺度で表示され一部が既定寸法表示部分をもつ被読取図形の未定寸法部分を読み取るような場合、未定寸法部分の読取作業が非常に楽に行える実寸法読取スケールを提供する。【解決手段】縦横各辺を有する平面四辺形をなし透視可能な材質で薄板状に形成された尺度変換読取プレートＡと縦横各辺を有する平面四辺形をなし透視可能な材質で薄板状に形成された尺度レベル規定用調節プレートＢとを備え、尺度変換読取プレートの一側には、尺度レベル規定用調節プレートを尺度変換読取プレートに対し平行面状を保ちながら縦方向に平行に進退可能で進退後の位置も一定に保持可能な透視のガイドホルダー４が設けられ、尺度変換読取プレートは、その面内に尺度変換読取表示１０を備え、この尺度変換読取表示は、横方向に向く読取基軸線と、この読取基軸線に直交する縦向きの寸法基軸線１２とを備える。【選択図】図２
0003195141.tif 000002
【実用新案登録請求の範囲】
【請求項１】
縦横各辺を有する平面四辺形をなし透視可能な材質で薄板状に形成された尺度変換読取プレートと縦横各辺を有する平面四辺形をなし透視可能な材質で薄板状に形成された尺度レベル規定用調節プレートとを備えるとともに、尺度変換読取プレートの一側には、尺度レベル規定用調節プレートを尺度変換読取プレートに対し平行面状を保ちながら縦方向に平行に進退可能で進退後の位置も一定に保持可能な透視可能質のガイドホルダーが設けられ、前記尺度変換読取プレートは、その面内に尺度変換読取表示を備え、この尺度変換読取表示は、横方向に向く読取基軸線と、この読取基軸線に直交する縦向きの寸法基軸線とを備えるとともに、読取基軸線上における一定間隔を置いたところで交差する粗目盛線とその間に分割配置された細目盛線とが設けられてこれら両目盛線は寸法基軸線の延長線上に設定された仮中心点を通る放射状線分とされ、かつ尺度変換読取表示として、前記読取基軸線近くの粗目盛線が通る位置には自然数表示が設けられ、前記尺度レベル規定用調節プレートは、粗目盛線と細目盛り線に交差する横方向の合わせ線を備えていることを特徴とする実寸法読取スケール。
【考案の詳細な説明】
【技術分野】
【０００１】  本考案は、実寸法読取スケールに関する。
【背景技術】
【０００２】  設計作業で作図をしたり工事対象現場で工事計画を構想してゆく場合などには、関連図面を参照しながら作業を進めてゆくようにするが、その際、参照される図面として使用されるものには、マイクロフィルムによる原図であったり、ＦＡＸ、スキャニング、縮小コピーなどによる図形が対象になるが、その多くは様々な尺度のものである。従来はそうした被読取図形は、三角スケールを用いて図中の求める長さ寸法を読み取るようにしてきたが、最近では被読取図形そのものが不特定な尺度のものが多いため三角スケールをもってしては読み取れないことが多くなってきている。
図１は被読取図形の一例を示すもので、図中底辺が４０００と表示されているが、その寸法４０００は三角スケールで計測しても該スケールにない全く別の不特定尺度に基づくものになっていることから図中で他の寸法？を求めるためスケールを当てて計測してもそれは全く誤った寸法のものとなってしまっていた。
そうした不特定尺度の被読取図形から求める辺？の寸法を読み取るには、図形に表示されている寸法値４０００と原寸として測った実寸値（例えば、４０ｍｍ）との関係からそれらの寸法間の尺度（１００倍）を算出し、その尺度に基づいて他の寸法？を原寸で図って前記尺度１００を掛けることにより求める寸法？を算出するようになされていた。こうした作業は読取と算出作業が必要であることから手間が掛るものでありまたその間計算ミスもしやすく、計算ミスは、例えば、完成プラントの安全性にも関わってくるおそれがあった。
そうした算出するのでなく読み取るだけで簡単に実寸法を知ることができしかもその行程が計算ミスなく確実に行えるようにした簡易型の器具が特許文献１において公開されている。
【先行技術文献】
【特許文献】
【０００３】
【特許文献１】  特開２０１２−１３７３８４
【考案の概要】
【考案が解決しようとする課題】
【０００４】  特許文献１には縮尺スケールについての技術が開示されており、そのスケールは、縮尺が不明な場合であっても、その被読取図形の形状および寸法値に基づいて、寸法値を取得することができる電力を要しないものであり、具体的には、縮尺スケールであって、隣り合う間隔を一定の割合で縮小又は拡大するように設けた複数本の線分を有する目盛りシートと、当該目盛りシートの進退方向と直交する方向に沿って、前記線分の一部を被計測部に近接させることができる計測部と、平行に配置された独立して回転可能な２本のローラーと、前記ローラーの一方を選択的に係合し回転させることができる操作手段を有し、前記目盛りシートの長手方向の一方および他方をそれぞれ前記２本のローラーに巻回するとともに、前記目盛りシートを前記操作手段によって一方のローラーに巻き取るようになっている。この縮尺スケールによるとき、前記課題を解消することができる。
しかし、このスケールは、２本のローラーとその操作手段とを備えてそれらにより目盛りシートを進退させて線分の一部を被計測部に近接させることを通じて尺度の不明な寸法を読み取ることができるような構造になっているので、立体構造のスケールとなってバッグに入れても嵩張ってしまい工事現場などに携行しにくい。
また、目盛りシート１１は非透視質のシートタイプであって回転ノブ５を手回しして第１、第２ローラー１２，１３をいずれかの方向に回すことにより既定寸法ＧＨ（図９の１０００）の一定縮尺値（１０）の目盛線分を既定寸法表示部分の右端に合わせることで図面の縮尺に対応したスケール（物差し）を得るようにし、そのうえで、得られたスケールを線分ＪＫに近接させてＪＫの実寸法を読み取るようにしたものであるが、回転ノブによりシートを進退させて前端の計測部（前縁）に図面の尺度に対応したスケールを得るように調節する作業は煩雑で手間の掛るものである。【０００５】  本考案は上記問題を解消しようとするもので、全体が薄板状のもので嵩張ることなく携行・使用し得るようになっているとともに、不特定な尺度で表示され一部が既定寸法表示部分をもつ被読取図形についてその未定寸法部分を読み取るような場合、読取のために表示した線分や目盛り表示などを備えた尺度変換読取プレートが透視可能な材質であってそのものを直接図形上に乗せて位置合わせするだけで尺度変換読み取りができその結果未定寸法部分の読取作業が非常に楽に行えるようになる実寸法読取スケールを提供することを目的とする。
【課題を解決するための手段】
【０００６】  上記目的を達成するため、請求項１に記載の考案は、縦横各辺を有する平面四辺形をなし透視可能な材質で薄板状に形成された尺度変換読取プレートと縦横各辺を有する平面四辺形をなし透視可能な材質で薄板状に形成された尺度レベル規定用調節プレートとを備えるとともに、尺度変換読取プレートの一側には、尺度レベル規定用調節プレートを尺度変換読取プレートに対し平行面状を保ちながら縦方向に平行に進退可能で進退後の位置も一定に保持可能な透視可能質のガイドホルダーが設けられ、前記尺度変換読取プレートは、その面内に尺度変換読取表示を備え、この尺度変換読取表示は、横方向に向く読取基軸線と、この読取基軸線に直交する縦向きの寸法基軸線とを備えるとともに、読取基軸線上における一定間隔を置いたところで交差する粗目盛線とその間に分割配置された細目盛線とが設けられてこれら両目盛線は寸法基軸線の延長線上に設定された仮中心点を通る放射状線分とされ、かつ尺度変換読取表示として、前記読取基軸線近くの粗目盛線が通る位置には自然数表示が設けられ、前記尺度レベル規定用調節プレートは、粗目盛線と細目盛り線に交差する横方向の合わせ線を備えていることを特徴とする。
【考案の効果】
【０００７】  上述したように請求項１に記載の考案は、縦横各辺を有する平面四辺形をなし透視可能な材質で薄板状に形成された尺度変換読取プレートと縦横各辺を有する平面四辺形をなし透視可能な材質で薄板状に形成された尺度レベル規定用調節プレートとを備えるとともに、尺度変換読取プレートの一側には、尺度レベル規定用調節プレートを尺度変換読取プレートに対し平行面状を保ちながら縦方向に平行に進退可能で進退後の位置も一定に保持可能な透視可能質のガイドホルダーが設けられ、前記尺度変換読取プレートは、その面内に尺度変換読取表示を備え、この尺度変換読取表示は、横方向に向く読取基軸線と、この読取基軸線に直交する縦向きの寸法基軸線とを備えるとともに、読取基軸線上における一定間隔を置いたところで交差する粗目盛線とその間に分割配置された細目盛線とが設けられてこれら両目盛線は寸法基軸線の延長線上に設定された仮中心点を通る放射状線分とされ、かつ尺度変換読取表示として、前記読取基軸線近くの粗目盛線が通る位置には自然数表示が設けられ、前記尺度レベル規定用調節プレートは、粗目盛線と細目盛り線に交差する横方向の合わせ線を備えていることを特徴とし、不特定な尺度のもとで表示された既定寸法表示部分と未定寸法部分とを有する被読取図形を対象にして既定寸法表示部分の長さと表示寸法値に基づき不特定な尺度を読み取るとともにその読取尺度をそのまま利用して未定寸法部分の実寸法を読み取るようになっている。上記構成により、全体が薄板状のもので嵩張ることなく携行・使用し得るようになっているとともに、不特定な尺度で表示され一部が既定寸法表示部分をもつ被読取図形についてその未定寸法部分を読み取るような場合、読取のために表示した線分や目盛り表示などを備えた尺度変換読取プレートが透視可能な材質であってそのものを直接図形上に乗せて位置合わせするだけで尺度変換読み取りができその結果未定寸法部分の読取作業が非常に楽に行えるようになる実寸法読取スケールを提供することができる。
【図面の簡単な説明】
【０００８】
【図１】  参照する図形例の一つを示す平面図。
【図２】  本考案の一実施形態である実寸法読取スケールの平面図。
【図３】  図２のＸ方向からみた矢視図。
【図４】  図２の実寸法読取スケールの分解説明図。
【図５】  図２のスケールによる図形寸法読取作業開始前の様子を示す平面図。
【図６】  図２のスケールによる図形寸法読取作業中の様子を示す平面図。
【図７】  図２のスケールによる図形寸法読取作業中の様子を示す平面図。
【図８】  図２のスケールによる図形寸法読取作業中の様子を示す平面図。
【図９】  実寸法読取スケールの他の実施形態を示す模式端面図。
【考案を実施するための形態】
【０００９】  以下、本考案である実寸法読取スケールの一実施形態を図２ないし図８に基づいて説明する。
図４は図２および図３に示す実寸法読取スケールＳの分解説明図で、この実寸法読取スケールＳは、ＰＰ・ＰＥＴ・ＰＶＣなどのプラスチック材で形成された尺度変換読取プレートＡと尺度レベル規定用調節プレートＢからなる。これらのプレートＡ，Ｂはその厚みが薄いときはシートあるいはフィルムと呼びかえることがある。
【００１０】  尺度変換読取プレートＡは、７３ｍｍ×２２２ｍｍの縦横各辺を有し横長型の平面四辺形とされるとともに厚みが０．５ｍｍの薄板状とされ透視可能なプレート本体１と、その左右両端部表側に固着された寸法７３ｍｍ×４ｍｍ（厚み０．５ｍｍ）の透明プラスチック製のガイドスペーサ２と、前記プレート本体１と同じサイズの透視型プラスチック板で両端が前記ガイドスペーサ２上に固着されることによりプレート本体１の表側に０．５ｍｍの一定の隙間３を残して装着されたガイドホルダー４とでなる。
【００１１】  また、前記ガイドスペーサ２は隙間３をつくる以外に後述する尺度レベル規定用調節プレートＢの左右両端に近接して進退スライドを側部においてガイドするガイドホルダーの一部にもなっている。また、前面のガイドホルダー４の両側には、縦向きに長孔状の操作用スリット５が形成され、このスリット５に対応するように尺度レベル規定用調節プレートＢ側に指当て受部（仮想線）６が設定されている。尺度レベル規定用調節プレートＢは、ガイドホルダー４とプレート本体１との間に平行面状で上下平行に進退するように入れられるが、その際、スリット５を通じての左右の親指面が指操作部６，６に当てられてその摩擦により尺度レベル規定用調節プレートＢを上下に進退操作できるようにしてある。指操作部６に対応して指のスリップを防止するための丸あるいは横長形、角形などの孔７を形成したり図示しないが低い１個あるいは複数列の係合突起を備えたりしてもよい。尚、図４においては材質が透視可能な材質であることから重ねて図示するといずれが上の部品か下の部品か判別しにくい場合もあることから、現物にはないが、上側、下側、上下間の表示をしてある。
【００１２】  前記尺度変換読取プレートＡのプレート本体１の上面内には、プラスチック印刷方法で尺度変換読取表示１０が付されている。この尺度変換読取表示１０は、横方向に向く読取基軸線１１と、この読取基軸練１１に直交する縦向きの寸法基軸線１２とを備えるとともに、読取基軸線１１上における一定間隔を置いたところで交差する粗目盛線１３…とその間に１０本分割配置された細目盛線１４…とが設けられてこれら両目盛線１３，１４…は寸法基軸線１２の延長線１２ａ上に設定された仮中心点Ｏを通る放射状線（一例として粗目盛線１３の延長線１３ａを示す）とされ、かつ尺度変換読取表示１０として、前記読取基軸線１１近くの粗目盛線１３が通る位置には１・２・３…である第１自然数表示１５…が設けられている。１６は読取基軸線１１の上側に配置表示した５・１０・１５…のような第２自然数表示で、相手の被読取図形２０の読取寸法が第１自然数表示１５では読みにくい範囲である場合に使用される。粗目盛線１３は目立つ程度の太い線分とされまた粗目盛線１３間の５目盛のところを通る中間分割線分１５はそれより少し細く少し目立つがやや控え目な中間の太さの線分とされ、また細目盛線１４は目立ちはしないが読み取りは可能な程度の細い線分となるように表示の仕方を変えてある。
【００１３】  一方、前記尺度レベル規定用調節プレートＢは、横幅が２１３ｍｍで前記ガイドスペーサ２，２間の間隔２１４ｍｍよりも１ｍｍ程度短いものにしてスペーサ２，２間で上下に平行なまま進退できるようにしまた縦寸法は４０ｍｍで厚みはガイドホルダー４とプレート本体１との間の隙間０．５ｍｍよりは少し少ない０．２５ｍｍあるいは０．３ｍｍとしてある。該プレートＢには、粗目盛線１３と中間目盛線１５および細目盛線１４に交差する横方向の合わせ線１８を上下２本備えている。２本としたのは合わせを読取基軸線１１の上側で行うか下側で行うかいずれにあってもすぐ近くにアクセスすることができるようにするためであるが、１本でもよい。
【００１４】  図５は図２と同様尺度レベル規定用調節プレートＢを尺度変換読取プレートＡの上下間に挿通して表側から指で進退操作できる状態でセットした実寸法読取スケールＳと読み取られる前の被読取図形２０との関係を示している。
被読取図形２０は、三角スケールに特定された尺度でなく不特定な尺度のもとで表示された既定寸法表示部分（寸法線も含む）２１と未定寸法部分（？）２２とを有するものとする。
【００１５】  この被読取図形２０に対し図６に示すように一端部２１ａをＯ基準である寸法基軸線１２上に合致させるように実寸法読取スケールＳをアクセスするとともに既定寸法４０００ｍｍの１００分の１に見立てた数値４０ｍｍに対応する読取基軸線１１上の目盛位置４の延長線上に他端部２１ｂが合致するように実寸法読取スケールＳをアクセスさせる。これで既定寸法表示部分２１の尺度レベルが決められる。
【００１６】  その尺度レベルを未定寸法部分２２の寸法読取まで保つため、尺度レベル規定用調節プレートＢを進退させる。図７に示すように、左右の親指を操作用スリット５，５を通じて指操作部６，６に押し当てるとともに矢印のように上へ押し上げるように尺度レベル規定用調節プレートＢをスライドさせることによりその合わせ線１８を前記尺度レベルに合致させておくようにする。その合致状態を保ちながら、次に図８に示すように合わせ線１８を未定寸法部分２２上に合致するようにする。これにより、未定寸法部分２２の左端は寸法基軸線１２にまた右端は図の上側の丸中心に対応していることから、この丸の中心点に対応する読取基軸線１１上の寸法値を読み取ることにより実際の寸法を読み取ることができるものである。ここでは２２５０ｍｍとなる。１９は縦合わせ線で、寸法基軸線１２に合わせることで合わせ線１８を読取基軸線１１に平行な関係に調節することができる。
【００１７】  尚、図９は他の実施形態を示すもので、尺度変換読取プレートＡをガイドホルダー４の短いものとして直接尺度レベル規定用調節プレートＢが上に露出した形にしたものであり、この場合、尺度レベル規定用調節プレートＢが操作しやすくなる以外に尺度変換読取表示１０が見やすくて寸法読取しやすい実寸法読取スケールＳを提供することができる。
【符号の説明】
【００１８】Ｓ…実寸法読取スケール  Ａ…尺度変換読取プレート  Ｂ…尺度レベル規定用調節プレート  １…プレート本体  ２…ガイドスペーサ  ４…ガイドホルダー  １０…尺度変換読取表示  １１…読取基軸線  １２…寸法基軸線  １３，１４，１５…目盛線  １６，１７…自然数表示  １８…合わせ線  ２０…被読取図形  ２１…既定寸法表示部分  ２２…未定寸法部分。
【図１】
0003195141.tif 000003
【図２】
0003195141.tif 000004
【図３】
0003195141.tif 000005
【図４】
0003195141.tif 000006
【図５】
0003195141.tif 000007
【図６】
0003195141.tif 000008
【図７】
0003195141.tif 000009
【図８】
0003195141.tif 000010
【図９】
0003195141.tif 000011